(57)【要約】  本発明は、偏光板の機能性を損なうことなく防水性能を確保した表示装置の発明である。  本発明は、内部空間（２ａ）を有し内部空間に連通された配置孔（１０ａ）が形成された筐体（１１）と、筐体に配置孔を覆う状態で配置孔からの内部空間への水分の侵入を防止する防水構造（１２）を介して取り付けられた透明保護板（１３）と、透明電極を有する静電容量パネル（１６）と、透過される光を偏光に変換する偏光板（１５）と、画像又は映像を表示する表示パネル（１７）とを備え、偏光板と静電容量パネルと表示パネルが筐体の内部に配置されると共に透明保護板と静電容量パネルの間に偏光板が配置された表示装置である。
2013121667.tif 000002
【特許請求の範囲】
【請求項１】
内部空間を有し前記内部空間に連通された配置孔が形成された筐体と、
前記筐体に前記配置孔を覆う状態で前記配置孔からの前記内部空間への水分の侵入を防止する防水構造を介して取り付けられた透明保護板と、
透明電極を有する静電容量パネルと、
透過される光を偏光に変換する偏光板と、
画像又は映像を表示する表示パネルと、を備え、
前記偏光板と前記静電容量パネルと前記表示パネルが前記筐体の内部に配置されると共に前記透明保護板と前記静電容量パネルの間に前記偏光板が配置された
表示装置。
【請求項２】
前記透明保護板がガラスによって形成された
請求項１に記載の表示装置。
【請求項３】
前記透明保護板が樹脂材料によって形成された
請求項１に記載の表示装置。
【請求項４】
前記防水構造として前記筐体と前記透明保護板に両面が貼り付けられた両面テープが用いられた
請求項１に記載の表示装置。
【請求項５】
前記透明保護板の外形が前記偏光板の外形より大きくされ、
前記筐体と前記透明保護板の外周部との間に防水構造が設けられ、
前記偏光板の少なくとも一部が前記配置孔に配置された
請求項１に記載の表示装置。
【請求項６】
前記筐体における前記配置孔の外周側に段差面が形成され、
前記段差面に連続する内側の面が前記配置孔に連続し前記段差面に連続する外側の面より前記内部空間側に位置する取付面として形成され、
前記取付面に前記透明保護板の外周部が取り付けられた
請求項５に記載の表示装置。
【発明の詳細な説明】
【技術分野】
【０００１】
本技術は表示装置についての技術分野に関する。詳しくは、筐体と透明保護板の間に防水構造を設け筐体の内部に静電容量パネルと偏光板と表示パネルを配置して偏光板の機能性を損なうことなく防水性能を確保する技術分野に関する。
【背景技術】
【０００２】
ビデオカメラ、スチルカメラ、テレビジョン受像器、パーソナルコンピューター等には液晶パネルや有機ＥＬ（Electro  Luminescence）パネル等の表示パネルを有しているものがある。【０００３】
このような表示パネルを有する表示装置は、表示パネルが筐体の内部に配置され、筐体に取り付けられた透明保護板によって表示パネルが外面側から覆われて保護されている（例えば、特許文献１参照）。【０００４】
特許文献１に記載された表示装置にあっては、透明保護板の外面側に偏光板が配置され偏光板の作用によって筐体の内部に配置された透明電極が外部から視認し難いようにされている。
【先行技術文献】
【特許文献】
【０００５】
【特許文献１】特開２０１１−９９８８０号公報
【発明の概要】
【発明が解決しようとする課題】
【０００６】
ところで、近年、表示装置においても機能性の向上が図られており、例えば、筐体の内部空間への水分の侵入を防止した防水性能を有するタイプが存在する。【０００７】
ところが、特許文献１に記載された表示装置にあっては、筐体と透明保護板の間に防水構造を設けることにより筐体の内部空間における防水性を確保することは可能であるが、透明保護板の外面側に偏光板が配置されているため、偏光板の外周面に水分が付着すると偏光板の内部への水分の侵入により偏光板の機能性が損なわれてしまう。【０００８】
そこで、本技術表示装置は、上記した問題点を克服し、偏光板の機能性を損なうことなく防水性能を確保することを課題とする。
【課題を解決するための手段】
【０００９】
第１に、表示装置は、上記した課題を解決するために、内部空間を有し前記内部空間に連通された配置孔が形成された筐体と、前記筐体に前記配置孔を覆う状態で前記配置孔からの前記内部空間への水分の侵入を防止する防水構造を介して取り付けられた透明保護板と、透明電極を有する静電容量パネルと、透過される光を偏光に変換する偏光板と、画像又は映像を表示する表示パネルとを備え、前記偏光板と前記静電容量パネルと前記表示パネルが前記筐体の内部に配置されると共に前記透明保護板と前記静電容量パネルの間に前記偏光板が配置されたものである。【００１０】
従って、表示装置にあっては、防水構造を介して筐体に取り付けられた透明保護板によって偏光板が外側から覆われる。【００１１】
第２に、上記した表示装置においては、前記透明保護板がガラスによって形成されることが望ましい。【００１２】
透明保護板がガラスによって形成されることにより、透明保護板の強度が高くなる。【００１３】
第３に、上記した表示装置においては、前記透明保護板が樹脂材料によって形成されることが望ましい。【００１４】
透明保護板が樹脂材料によって形成されることにより、透明保護板が軽量になる。【００１５】
第４に、上記した表示装置においては、前記防水構造として前記筐体と前記透明保護板に両面が貼り付けられた両面テープが用いられることが望ましい。【００１６】
防水構造として筐体と透明保護板に両面が貼り付けられた両面テープが用いられることにより、両面テープによって配置孔からの内部空間への水分の侵入が防止される。【００１７】
第５に、上記した表示装置においては、前記透明保護板の外形が前記偏光板の外形より大きくされ、前記筐体と前記透明保護板の外周部との間に防水構造が設けられ、前記偏光板の少なくとも一部が前記配置孔に配置されることが望ましい。【００１８】
透明保護板の外形が偏光板の外形より大きくされ、筐体と透明保護板の外周部との間に防水構造が設けられ、偏光板の少なくとも一部が配置孔に配置されることにより、偏光板の外周側に透明保護板の外周部が位置される。【００１９】
第６に、上記した表示装置においては、前記筐体における前記配置孔の外周側に段差面が形成され、前記段差面に連続する内側の面が前記配置孔に連続し前記段差面に連続する外側の面より前記内部空間側に位置する取付面として形成され、前記取付面に前記透明保護板の外周部が取り付けられることが望ましい。【００２０】
段差面に連続する内側の面が配置孔に連続し段差面に連続する外側の面より内部空間側に位置する取付面として形成され、取付面に透明保護板の外周部が取り付けられることにより、透明保護板の筐体からの外方への突出量が小さくなる。
【発明の効果】
【００２１】
本技術表示装置は、内部空間を有し前記内部空間に連通された配置孔が形成された筐体と、前記筐体に前記配置孔を覆う状態で前記配置孔からの前記内部空間への水分の侵入を防止する防水構造を介して取り付けられた透明保護板と、透明電極を有する静電容量パネルと、透過される光を偏光に変換する偏光板と、画像又は映像を表示する表示パネルとを備え、前記偏光板と前記静電容量パネルと前記表示パネルが前記筐体の内部に配置されると共に前記透明保護板と前記静電容量パネルの間に前記偏光板が配置されている。【００２２】
従って、防水構造によって筐体に取り付けられた透明保護板の内側に偏光板が配置されているため、偏光板の外周面に水分が付着することがなく、偏光板の機能性を損なうことなく防水性能を確保することができる。
【図面の簡単な説明】
【００２３】
【図１】図２乃至図４と共に本技術表示装置を示すものであり、本図は、表示装置の斜視図である。
【図２】表示装置を図１とは異なる方向から見た状態で示す斜視図である。
【図３】表示装置の一部を示す拡大断面図である。
【図４】表示装置のブロック図である。
【発明を実施するための形態】
【００２４】
以下に、本技術表示装置を実施するための最良の形態を添付図面に従って説明する。
【００２５】
以下に示した最良の形態は、本技術表示装置をデジタルスチルカメラに適用したものである。
【００２６】
但し、本技術の適用範囲はデジタルスチルカメラに限られることはなく、例えば、ビデオカメラ等の撮像装置、携帯電話やＰＤＡ（Personal Digital Assistant）等の携帯端末装置、パーソナルコンピューター等の情報処理装置、テレビジョン受像器や表示モニター等の表示パネルを有する各種の表示装置に広く適用することができる。
【００２７】
以下の説明にあっては、表示装置（デジタルスチルカメラ）の撮影時において撮影者から見た方向で前後上下左右の方向を示すものとする。従って、被写体側が前方となり、撮影者側が後方となる。
【００２８】
尚、以下に示す前後上下左右の方向は説明の便宜上のものであり、本技術の実施に関しては、これらの方向に限定されることはない。
【００２９】
［表示装置の構成］
表示装置（デジタルスチルカメラ）１は後方に開口された箱状の筐体２と筐体２の内外に配置された所要の各部とから成る（図１及び図２参照）。
【００３０】
筐体２の上面には各種の操作部３、３、・・・が配置されている。操作部３、３、・・・としては、例えば、電源の投入を行うための電源釦、撮影時に操作されるシャッター釦、ズーミングを行うためのズーム摘子等が配置されている。
【００３１】
筐体２の上面部にはマイクロフォン４、４が配置されている。
【００３２】
筐体２の前面の上端部には撮影時において補助光を照射するためのフラッシュ５と被写体の像を取り込むための撮影レンズ６とが左右に並んで配置されている。筐体２の内部には撮影レンズ６を含む各種のレンズ又はレンズ群が光軸に沿って配置されたレンズ光学系が配置されている。
【００３３】
筐体２の側面部にはスピーカー７が配置されている。
【００３４】
筐体２はフロントパネル８とフレーム９とキャビネット１０を有し、フロントパネル８とフレーム９とキャビネット１０は前後方向において順に結合されている。
【００３５】
フロントパネル８は前後方向を向く横長の略矩形の板状に形成されている。
【００３６】
フレーム９は横長の略矩形の枠状に形成されている。
【００３７】
キャビネット１０は横長の略矩形の枠状に形成され、前後の幅がフレーム９の前後の幅より大きくされている。キャビネット１０の後側の開口は配置孔１０ａとして形成されている。
【００３８】
キャビネット１０の後端部は環状に形成された取付部１１として設けられている（図３参照）。取付部１１には環状に形成され内方を向く段差面１１ａと段差面１１ａの前縁に連続し後方を向く取付面１１ｂとを有している。取付面１１ｂは段差面１１ａの後縁に連続し後方を向く面、即ち、キャビネット１０の後面１０ｂより前側に位置されている。
【００３９】
キャビネット１０の取付面１１ｂには両面テープ１２によって透明保護板１３の外周部が取り付けられている。両面テープ１２は筐体２の内部空間２ａへの水分の侵入を防止する防水構造として設けられ、枠状に形成されている。
【００４０】
上記のように、防水構造として筐体２の取付部１１と透明保護板１３に両面が貼り付けられた両面テープ１２を用いることにより、簡単かつ確実に防水性能を確保することができる。
【００４１】
尚、防水構造は両面テープ１２に限られることはない。防水構造としては、例えば、アクリル、シリコン、エポキシ、ウレタン、フッ素系の樹脂等を取付部１１と透明保護板１３の間に介在させた構造であってもよい。また、防水構造としてゴム等の弾性を有する材料によって形成されたオーリングが用いられていてもよい。
【００４２】
透明保護板１３は、例えば、ガラス（強化ガラス）によって形成されている。尚、透明保護板１３はガラスに限られず、透明保護板１３は、例えば、アクリル、ポリカーボネート、ポリエチレンテレフタレート、シクロオレフィン系等の樹脂材料によって形成されていてもよい。
【００４３】
透明保護板１３をガラスによって形成することにより傷付きの低減を図ることができ、また、複屈折率が小さいため後述する表示パネルによって表示される画像や映像の視認性の向上を図ることができる。一方、透明保護板１３を樹脂材料によって形成することにより表示装置１の軽量化を図ることができる。
【００４４】
透明保護板１３の後面には透明な保護シート１４が貼り付けられている。保護シート１４としては、例えば、低反射性のシートや透明保護板１３の傷付きを防止するための硬質コーティングが施されたシート等が用いられている。
【００４５】
筐体２の内部には、透明保護板１３の前面側に後側から順に偏光板１５と静電容量パネル１６と表示パネル１７が積層状に配置されている。偏光板１５と静電容量パネル１６と表示パネル１７は外形が透明保護板１３の外形より一回り小さくされ、透明保護板１３の外周部を除く部分の前側において積層状に配置されている。
【００４６】
偏光板１５は透過される光を直線偏光に変換する機能を有し、基材（フィルム）と基材の前後両面側にそれぞれ積層状に配置された１／４ラムダ位相差板とを有している。
【００４７】
偏光板１５は、上記したように、透明保護板１３の外周部を除く部分の前側において積層状に配置されている。従って、透明保護板１３の外周部が取付部１１に取り付けられることにより、偏光板１５の少なくとも一部が配置孔１０ａに配置されている。
【００４８】
静電容量パネル１６は静電容量方式によるタッチパネルとして機能し、指先と導電膜の間での静電容量の変化を捉えて位置検出を行う。静電容量パネル１６は絶縁フィルムとＩＴＯ（Indium  Tin  Oxide）等の透明電極によって形成された、例えば、ダイヤモンド状の電極パターンとを有している。
【００４９】
静電容量パネル１６に指が近付くと、その付近の透明電極の静電容量の変化が捉えられて位置検出が行われて操作され、検出された位置に応じて操作された各種の動作が実行される。
【００５０】
静電容量パネル１６は透明保護板１３の後方から指が近付くことにより操作が行われるため、操作時に指によって透明保護板１３が後方から押圧される場合があり、上記したように、透明保護板１３をガラスによって形成することにより、押圧操作されたときの透明保護板１３の変形や損傷を低減することができる。
【００５１】
表示パネル１７としては、例えば、自発光型の有機ＥＬ（Electro Luminescence）パネルが用いられている。
【００５２】
表示パネル１７として有機ＥＬパネルを用いることにより、バックライトやサイドライトとして機能する光源やサイドライトとして設けられた光源から出射される光を導く導光板等を別に設ける必要がなく、表示装置１の薄型化及び小型化を図ることができる。
【００５３】
尚、表示パネル１７は有機ＥＬパネルに限られることはなく、液晶パネル等の他の表示パネルが用いられていてもよい。
【００５４】
表示パネル１７は粘着層１８によって静電容量パネル１６に貼り付けられている。粘着層１８としては、例えば、アクリル系の透明な材料が用いられている。
【００５５】
表示パネル１８の前面には遮光シート１９が貼り付けられている。
【００５６】
［表示装置における作用］
上記のように構成された表示装置１においては、表示パネル１７に表示された画像や映像が透明保護板１３を介して外部から視認されると共に表示パネル１７に表示される操作部（操作用のアイコン等）等に対して静電容量パネル１６への操作が可能とされている。
【００５７】
このとき偏光板１５の作用により、偏光板１５と表示パネル１７の間に配置された静電容量パネル１６の透明電極のパターンが視認し難い状態とされている。
【００５８】
［表示装置の回路構成］
以下に、表示装置（デジタルスチルカメラ）１の回路構成の例を示す（図４参照）。
【００５９】
表示装置１は、撮像機能を担うカメラブロック２０と、撮影された画像信号のアナログ−デジタル変換等の信号処理を行うカメラ信号処理部２１と、画像信号の記録再生処理を行う画像処理部２２とを有している。また、表示装置１は、撮影された画像等を表示する表示パネル２３（表示パネル１７）と、メモリーカード１００への画像信号の書込及び読出を行うＲ／Ｗ（リーダ／ライタ）２４と、表示装置１の全体を制御するＣＰＵ（Central  Processing  Unit）２５と、ユーザーによって所要の操作が行われる各種のスイッチ等から成る入力部２６（操作部３、３、・・・）と、カメラブロック２０に配置されたレンズの駆動を制御するレンズ駆動制御部２７とを備えている。
【００６０】
カメラブロック２０は、レンズ群２８を含むレンズ光学系や、ＣＣＤ（Charge  Coupled  Device）やＣＭＯＳ（Complementary  Metal-Oxide  Semiconductor）等の撮像素子２９等とによって構成されている。
【００６１】
カメラ信号処理部２１は、撮像素子２９からの出力信号に対するデジタル信号への変換、ノイズ除去、画質補正、輝度・色差信号への変換等の各種の信号処理を行う。
【００６２】
画像処理部２２は、所定の画像データーフォーマットに基づく画像信号の圧縮符号化・伸張復号化処理や解像度等のデーター仕様の変換処理等を行う。
【００６３】
表示パネル２３はユーザーの入力部２６に対する操作状態や撮影した画像等の各種のデーターを表示する機能を有している。
【００６４】
Ｒ／Ｗ２４は、画像処理部２２によって符号化された画像データーのメモリーカード１００への書込及びメモリーカード１００に記録された画像データーの読出を行う。
【００６５】
ＣＰＵ２５は、表示装置１に設けられた各回路ブロックを制御する制御処理部として機能し、入力部２６からの指示入力信号等に基づいて各回路ブロックを制御する。
【００６６】
入力部２６はユーザーによる操作に応じた指示入力信号をＣＰＵ２５に対して出力する。
【００６７】
レンズ駆動制御部２７は、ＣＰＵ２５からの制御信号に基づいてレンズ群２８の各レンズを駆動する図示しないモーター等を制御する。
【００６８】
メモリーカード１００は、例えば、Ｒ／Ｗ２４に接続されたスロットに対して着脱可能な半導体メモリーである。
【００６９】
以下に、表示装置１における動作を説明する。
【００７０】
撮影の待機状態では、ＣＰＵ２５による制御の下で、カメラブロック２０において撮影された画像信号がカメラ信号処理部２１を介して表示パネル２３に出力され、カメラスルー画像として表示される。また、入力部２６からのズーミングのための指示入力信号が入力されると、ＣＰＵ２５がレンズ駆動制御部２７に制御信号を出力し、レンズ駆動制御部２７の制御に基づいてレンズ群２８の所定のレンズが移動される。
【００７１】
入力部２６からの指示入力信号によりカメラブロック２０の図示しないシャッターが動作されると、撮影された画像信号がカメラ信号処理部２１から画像処理部２２に出力されて圧縮符号化処理され、所定のデーターフォーマットのデジタルデーターに変換される。変換されたデーターはＲ／Ｗ２４に出力され、メモリーカード１００に書き込まれる。
【００７２】
フォーカシングは、例えば、入力部２６のシャッター釦が半押しされた場合や記録（撮影）のために全押しされた場合等に、ＣＰＵ２５からの制御信号に基づいてレンズ駆動制御部２７がレンズ群２８の所定のレンズを移動させることにより行われる。
【００７３】
ズーミングは、例えば、入力部２６のズーム摘子が操作された場合に、ＣＰＵ２５からの制御信号に基づいてレンズ駆動制御部２７がレンズ群２８の所定のレンズを移動させることにより行われる。
【００７４】
メモリーカード１００に記録された画像データーを再生する場合には、入力部２６に対する操作に応じて、Ｒ／Ｗ２４によってメモリーカード１００から所定の画像データーが読み出され、画像処理部２２によって伸張復号化処理が行われた後に、再生画像信号が表示パネル２３に出力されて再生画像が表示される。
【００７５】
［まとめ］
以上に記載した通り、表示装置１にあっては、偏光板１５と静電容量パネル１６と表示パネル１７が筐体２の内部に配置されると共に防水構造として設けられた両面テープ１２によって筐体２に取り付けられた透明保護板１３と静電容量パネル１６の間に偏光板１５が配置されている。
【００７６】
従って、防水構造として設けられた両面テープ１２によって筐体２に取り付けられた透明保護板１３の内側に偏光板１５が配置されているため、偏光板１５の外周面に水分が付着することがなく、偏光板１５の機能性を損なうことなく防水性能を確保することができる。
【００７７】
また、偏光板１５を筐体２の内部に配置し筐体２と透明保護板１３の間に防水構造を介在させて偏光板１５の外周面への水分の付着を防止しているため、コストの高騰を来たさず表示装置１の厚みを厚くすることもなく偏光板１５の機能性及び防水性能を確保することができる。
【００７８】
さらに、透明保護板１３の外形が偏光板１５の外形より大きくされ、偏光板１５の少なくとも一部が配置孔１０ａに配置されているため、筐体２と透明保護板１３の外周部との間に容易に両面テープ１２等の防水構造を設けることができる。
【００７９】
さらにまた、筐体２における配置孔１０ａの外周側に段差面１１ａが形成され、キャビネット１０の後面１０ｂより前側に位置された取付面１１ｂに透明保護板１３の外周部が取り付けられている。
【００８０】
従って、透明保護板１３の前面がキャビネット１０の後面１０ｂより前方に位置され、その分、表示装置１の薄型化を図ることができる。
【００８１】
［本技術］
本技術は、以下のような構成にすることもできる。
【００８２】
（１）内部空間を有し前記内部空間に連通された配置孔が形成された筐体と、前記筐体に前記配置孔を覆う状態で前記配置孔からの前記内部空間への水分の侵入を防止する防水構造を介して取り付けられた透明保護板と、透明電極を有する静電容量パネルと、透過される光を偏光に変換する偏光板と、画像又は映像を表示する表示パネルとを備え、前記偏光板と前記静電容量パネルと前記表示パネルが前記内部空間に配置されると共に前記透明保護板と前記静電容量パネルの間に前記偏光板が配置された表示装置。
【００８３】
（２）前記透明保護板がガラスによって形成された前記（１）に記載の表示装置。
【００８４】
（３）前記透明保護板が樹脂材料によって形成された前記（１）に記載の表示装置。
【００８５】
（４）前記防水構造として前記筐体と前記透明保護板に両面が貼り付けられた両面テープが用いられた前記（１）から前記（３）の何れかに記載の表示装置。
【００８６】
（５）前記透明保護板の外形が前記偏光板の外形より大きくされ、前記筐体と前記透明保護板の外周部との間に防水構造が設けられ、前記偏光板の少なくとも一部が前記配置孔に配置された前記（１）から前記（４）の何れかに記載の表示装置。
【００８７】
（６）前記筐体における前記配置孔の外周側に段差面が形成され、前記段差面に連続する内側の面が前記配置孔に連続し前記段差面に連続する外側の面より前記内部空間側に位置する取付面として形成され、前記取付面に前記透明保護板の外周部が取り付けられた前記（５）に記載の表示装置。
【００８８】
上記した発明の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【００８９】
１…表示装置、２…筐体、２ａ…内部空間、１０ａ…配置孔、１１ａ…段差面、１１ｂ
…取付面、１２…両面テープ（防水構造）、１３…透明保護板、１５…偏光板、１６…静
電容量パネル、１７…表示パネル、２３…表示パネル
【図１】
2013121667.tif 000003
【図２】
2013121667.tif 000004
【図３】
2013121667.tif 000005
【図４】
2013121667.tif 000006
【国際調査報告】
2013121667.tif 000007
2013121667.tif 000008
2013121667.tif 000009
2013121667.tif 000010